(57)【要約】【課題】本発明は収納可能の電動歯ブラシを開示した。【解決手段】本発明は収納可能の電動歯ブラシを公示し、円柱体を含み、前記円柱体の中には収納チャンバが設置され、前記収納チャンバの上下両側の端壁にはいずれもスライドブロックチャンバが設置され、前記伸縮機構は伸縮棒を収納でき本装置の伸縮機構は伸縮棒を収納チャンバの中に収納でき、歯ブラシの占有空間を減らし、歯ブラシの収納に便利であり、また、動力機構において、大型プーリは小型プーリより直径が長いため、小型プーリに高速回転させることができ、すなわちブラシ盤にも高速回転させることができ、歯磨きの効率を上げ、さらに、本装置は優れた設計を有し、伝動構成が簡単で、故障が発生しにくい。【選択図】図１
2020179136.tif 000002
【特許請求の範囲】
【請求項１】
正面視で、円柱体を含み、前記円柱体の中には収納チャンバが設置され、前記収納チャンバの上下両側の端壁にはいずれもスライドブロックチャンバが設置され、前記スライドブロックチャンバの中には伸縮機構が設置され、前記伸縮機構は伸縮棒を収納でき、前記スライドブロックチャンバの頂部にはラック溝が設置され、前記ラック溝は上下対称に設置され、前記ラック溝の頂壁にはセクタ歯車チャンバが設置され、前記セクタ歯車チャンバの中の片側にはスライド板チャンバが設置され、前記スライド板チャンバの中には開閉機構が設置され、前記開閉機構は前記伸縮機構の開閉を制御でき、前記円柱体の片側端面には充電機構が設置され、前記充電機構は当電動歯ブラシを充電でき、前記充電機構の片側における前記収納チャンバの中には動力機構が設置され、前記動力機構は大型プーリに動力を提供できることを特徴とする収納可能の電動歯ブラシ。
【請求項２】
前記伸縮機構は前記収納チャンバの中にスライド可能に設置された前記伸縮棒を含み、前記伸縮棒の上下両端面にはいずれもスライドブロックが固定的に設置され、前記スライドブロックは前記スライドブロックチャンバの中にスライド可能に装着され、前記スライドブロックチャンバの両側端壁の中にはいずれもリールが回転可能に設置され、前記リールは上下対称に設置され、頂部に位置する二つの前記リールは伸縮巻糸で伝動可能に連結され、前記伸縮巻糸は前記スライドブロックと固定的に連結され、前記ラック溝の中にはラックがスライド可能に装着され、前記ラックと前記伸縮巻糸とは固定的に連結され、前記セクタ歯車チャンバの中にはセクタ歯車が回転可能に設置され、前記セクタ歯車と前記ラックの頂端とは噛み合えるように設置され、前記セクタ歯車チャンバと、前記ラック溝と、前記ラック溝における機構とはいずれも上下対称に設置され、
さらに、前記伸縮棒中にはスプライン軸が回転可能に設置され、前記スプライン軸の片側末端にはスプライン軸傘歯車が固定的に設置され、前記伸縮棒の片側端面にはブラシヘッドを取り付けることができ、前記スプライン軸傘歯車は前記ブラシヘッドの中に伸びられ、前記ブラシヘッドの後側端面にはブラシ盤が回転可能に設置され、前記ブラシ盤の後端には毛ブラシが固定的に設置され、前記ブラシ盤はブラシヘッド傘歯車によって前記スプライン軸傘歯車と伝動可能に連結され、前記ブラシヘッドは取替可能であることを特徴とする請求項１に記載の収納可能の電動歯ブラシ。
【請求項３】
前記開閉機構は前記スライド板チャンバの中にスライド可能に装着されたスライド板を含み、前記スライド板はＴ型であり、前記スライド板の片側端面と前記スライド板チャンバの片側端壁との間には引張ばねが弾性を持つように連結され、前記スライド板の頂部には収納挿しピンがスライド可能に装着され、前記収納挿しピンは前記スライド板の中に挿入でき、且つ前記スライド板の位置を制限し、前記スライド板を固定させることができ、前記収納挿しピンの片側には収納歯車が回転可能に設置され、前記収納挿しピンの片側には頂部歯車が回転可能に設置され、前記頂部歯車と前記セクタ歯車とがセクタ歯車巻糸により伝動できるように連結され、前記頂部歯車の底端と前記スライド板の頂端とは噛み合えるように設置され、前記円柱体の頂端には収納スイッチがスライド可能に設置され、前記収納スイッチと前記収納歯車とは収納巻糸によって伝動可能に連結され、前記収納スイッチの片側には小型スイッチがスライド可能に設置され、前記小型スイッチの底部には伸び出し歯車が回転可能に設置され、前記伸び出し歯車と前記小型スイッチとは噛み合えるように設置され、前記スライド板チャンバの底壁の中には底部挿しピンがスライド可能に設置され、前記底部挿しピンの片側には復位ばねが設置され、前記底部挿しピンのもう片側には底部歯車が回転可能に設置され、前記底部歯車と前記底部挿しピンとは噛み合えるように設置され、前記底部歯車と前記伸び出し歯車とは伸び出し巻糸によって伝動可能に連結され、前記スライド板の底端には挿入孔が設置され、前記スライド板と前記引張ばねとは上下対称に設置されることを特徴とする請求項１又は請求項２に記載の収納可能の電動歯ブラシ。
【請求項４】
前記動力機構と前記充電機構とは前記収納チャンバの中に固定的に装着された支持ブロックを含み、前記支持ブロックの中にはスプラインスリーブが回転可能に設置され、前記スプラインスリーブの片側の延伸部分は前記スプライン軸とスプラインによって連結され、前記スプラインスリーブのもう片側の端面には端面歯車が固定的に設置され、前記収納チャンバの中にはセクタ歯車軸が回転可能に設置され、前記セクタ歯車軸の外壁の外周には動力セクタ歯車が固定的に設置され、前記動力セクタ歯車は中心対称に設置されることで、前記端面歯車に正回転と逆回転とを交替させて繰り返させることができ、前記動力セクタ歯車の間における前記セクタ歯車軸の外壁の外周には小型プーリが固定的に設置され、前記収納チャンバの底壁の中には動力モータが固定的に嵌め込んでおり、前記動力モータの頂端と前記大型プーリとは伝動可能に連結され、前記大型プーリと前記小型プーリとはベルトによって伝動可能に連結され、前記小型プーリは前記大型プーリより半径が短いため、前記小型プーリは高速回転でき、前記円柱体の片側端面の中には充電スイッチがスライド可能に設置され、前記充電スイッチの一端には充電スライド板が固定的に設置され、前記充電スライド板の頂端には付勢ばねが弾性を持つように連結され、前記円柱体の片側端面には充電口が設置され、前記収納チャンバの底壁の中には蓄電池が固定的に設置され、前記蓄電池と前記動力モータとは通電可能に連結されることを特徴とする請求項１又は請求項２又は請求項３に記載の収納可能の電動歯ブラシ。
【発明の詳細な説明】
【技術分野】
【０００１】
本発明は歯ブラシ分野を取り上げ、具体的には収納可能の電動歯ブラシである。
【背景技術】
【０００２】
電動歯ブラシはムーブメントの高速回転や振動により、ブラシを高頻度に振動させ、瞬時に歯磨き粉を泡に分解し、歯の隙間の深部まで届け、また、ブラシの振動は口内の血液循環を促し、歯肉にマッサージ効果があり、
しかし、伝統的な電動歯ブラシは基本的に長いため、携帯時又は収納時に一定のスペースが要り、さらに、カバンなどに収納される時に、体積が大きいせいで折れやすくて壊れる可能性があり、そのため、本発明は収納可能の電動歯ブラシを設計し、上記の問題を解決する。
【先行技術文献】
【特許文献】
【０００３】
【特許文献１】中国特許出願公開第107496045号明細書
【発明の概要】
【発明が解決しようとする課題】
【０００４】
本発明は収納可能の電動歯ブラシを提供し、既存技術にある上記の欠点を解消することを目的とする。
【課題を解決するための手段】
【０００５】
本発明の収納可能の電動歯ブラシは、円柱体を含み、前記円柱体の中には収納チャンバが設置され、前記収納チャンバの上下両側の端壁にはいずれもスライドブロックチャンバが設置され、前記スライドブロックチャンバの中には伸縮機構が設置され、前記伸縮機構は伸縮棒を収納でき、前記スライドブロックチャンバの頂部にはラック溝が設置され、前記ラック溝は上下対称に設置され、前記ラック溝の頂壁にはセクタ歯車チャンバが設置され、前記セクタ歯車チャンバの中の片側にはスライド板チャンバが設置され、前記スライド板チャンバの中には開閉機構が設置され、前記開閉機構は前記伸縮機構の開閉を制御でき、前記円柱体の片側端面には充電機構が設置され、前記充電機構は当電動歯ブラシを充電でき、前記充電機構の片側における前記収納チャンバの中には動力機構が設置され、前記動力機構は大型プーリに動力を提供できる。
【０００６】
好ましくは、前記伸縮機構は前記収納チャンバの中にスライド可能に設置された前記伸縮棒を含み、前記伸縮棒の上下両端面にはいずれもスライドブロックが固定的に設置され、前記スライドブロックは前記スライドブロックチャンバの中にスライド可能に装着され、前記スライドブロックチャンバの両側端壁の中にはいずれもリールが回転可能に設置され、前記リールは上下対称に設置され、頂部に位置する二つの前記リールは伸縮巻糸で伝動可能に連結され、前記伸縮巻糸は前記スライドブロックと固定的に連結され、前記ラック溝の中にはラックがスライド可能に装着され、前記ラックと前記伸縮巻糸とは固定的に連結され、前記セクタ歯車チャンバの中にはセクタ歯車が回転可能に設置され、前記セクタ歯車と前記ラックの頂端とは噛み合えるように設置され、前記セクタ歯車チャンバと、前記ラック溝と、前記ラック溝における機構とはいずれも上下対称に設置される。
【０００７】
さらに、前記伸縮棒中にはスプライン軸が回転可能に設置され、前記スプライン軸の片側末端にはスプライン軸傘歯車が固定的に設置され、前記伸縮棒の片側端面にはブラシヘッドを取り付けることができ、前記スプライン軸傘歯車は前記ブラシヘッドの中に伸びられ、前記ブラシヘッドの後側端面にはブラシ盤が回転可能に設置され、前記ブラシ盤の後端には毛ブラシが固定的に設置され、前記ブラシ盤はブラシヘッド傘歯車によって前記スプライン軸傘歯車と伝動可能に連結され、前記ブラシヘッドは取替可能である。
【０００８】
好ましくは、前記開閉機構は前記スライド板チャンバの中にスライド可能に装着されたスライド板を含み、前記スライド板はＴ型であり、前記スライド板の片側端面と前記スライド板チャンバの片側端壁との間には引張ばねが弾性を持つように連結され、前記スライド板の頂部には収納挿しピンがスライド可能に装着され、前記収納挿しピンは前記スライド板の中に挿入でき、且つ前記スライド板の位置を制限し、前記スライド板を固定させることができ、前記収納挿しピンの片側には収納歯車が回転可能に設置され、前記収納挿しピンの片側には頂部歯車が回転可能に設置され、前記頂部歯車と前記セクタ歯車とがセクタ歯車巻糸により伝動できるように連結され、前記頂部歯車の底端と前記スライド板の頂端とは噛み合えるように設置され、前記円柱体の頂端には収納スイッチがスライド可能に設置され、前記収納スイッチと前記収納歯車とは収納巻糸によって伝動可能に連結され、前記収納スイッチの片側には小型スイッチがスライド可能に設置され、前記小型スイッチの底部には伸び出し歯車が回転可能に設置され、前記伸び出し歯車と前記小型スイッチとは噛み合えるように設置され、前記スライド板チャンバの底壁の中には底部挿しピンがスライド可能に設置され、前記底部挿しピンの片側には復位ばねが設置され、前記底部挿しピンのもう片側には底部歯車が回転可能に設置され、前記底部歯車と前記底部挿しピンとは噛み合えるように設置され、前記底部歯車と前記伸び出し歯車とは伸び出し巻糸によって伝動可能に連結され、前記スライド板の底端には挿入孔が設置され、前記スライド板と前記引張ばねとは上下対称に設置される。
【０００９】
好ましくは、前記動力機構と前記充電機構とは前記収納チャンバの中に固定的に装着された支持ブロックを含み、前記支持ブロックの中にはスプラインスリーブが回転可能に設置され、前記スプラインスリーブの片側の延伸部分は前記スプライン軸とスプラインによって連結され、前記スプラインスリーブのもう片側の端面には端面歯車が固定的に設置され、前記収納チャンバの中にはセクタ歯車軸が回転可能に設置され、前記セクタ歯車軸の外壁の外周には動力セクタ歯車が固定的に設置され、前記動力セクタ歯車は中心対称に設置されることで、前記端面歯車に正回転と逆回転とを交替させて繰り返させることができ、前記動力セクタ歯車の間における前記セクタ歯車軸の外壁の外周には小型プーリが固定的に設置され、前記収納チャンバの底壁の中には動力モータが固定的に嵌め込んでおり、前記動力モータの頂端と前記大型プーリとは伝動可能に連結され、前記大型プーリと前記小型プーリとはベルトによって伝動可能に連結され、前記小型プーリは前記大型プーリより半径が短いため、前記小型プーリは高速回転でき、前記円柱体の片側端面の中には充電スイッチがスライド可能に設置され、前記充電スイッチの一端には充電スライド板が固定的に設置され、前記充電スライド板の頂端には付勢ばねが弾性を持つように連結され、前記円柱体の片側端面には充電口が設置され、前記収納チャンバの底壁の中には蓄電池が固定的に設置され、前記蓄電池と前記動力モータとは通電可能に連結される。
【発明の効果】
【００１０】
本装置の伸縮機構は伸縮棒を収納チャンバの中に収納でき、歯ブラシの占有空間を減らし、歯ブラシの収納に便利であり、また、動力機構において、大型プーリは小型プーリより直径が長いため、小型プーリに高速回転させることができ、すなわちブラシ盤にも高速回転させることができ、歯磨きの効率を上げ、さらに、本装置は優れた設計を有し、伝動構成が簡単で、故障が発生しにくい。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致であり、また、以下の附図はあくまで実施例の一環であり、本領域における従業者にとって、創造的労働を通じなくとも、以下の附図に基づいてほかの附図を得ることが可能である。
【００１２】
【図１】図１は本発明の収納可能の電動歯ブラシの正面図
【図２】図２は本発明におけるブラシ盤の構成略図
【図３】図３は本発明の収納可能の電動歯ブラシの左側部分の構成略図
【図４】図４は本発明の収納可能の電動歯ブラシの中間部分の構成略図
【図５】図５は本発明の収納可能の電動歯ブラシの右側部分の構成略図
【図６】図６は図５におけるＡの拡大構成略図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
本発明書に開示した全ての特徴は、特別な叙述がない限り、そのほかの同等或いは類似する目的を持つ代替特徴に取り替えられ、すなわち特別な叙述がない限り、全ての特徴はただ一連の同等或いは類似する特徴の中の一つの例だけである。
【００１５】
下記に図１〜６を交え、本発明の実施例における技術プランを詳しく説明し、明らかに、下記に述べた実施例は本発明の実施例の一部であり、すべての実施例ではなく、本発明の実施例に基づいて、本領域の普通技術者が創造的な労働を通じずに得たすべての他実施例は本発明の保護範囲に所属し、
図１〜６が示したよう、本発明の収納可能の電動歯ブラシは、円柱体１０を含み、前記円柱体１０の中には収納チャンバ２３が設置され、前記収納チャンバ２３の上下両側の端壁にはいずれもスライドブロックチャンバ１４が設置され、前記スライドブロックチャンバ１４の中には伸縮機構が設置され、前記伸縮機構は伸縮棒２０を収納でき、前記スライドブロックチャンバ１４の頂部にはラック溝１６が設置され、前記ラック溝１６は上下対称に設置され、前記ラック溝１６の頂壁にはセクタ歯車チャンバ１７が設置され、前記セクタ歯車チャンバ１７の中の片側にはスライド板チャンバ２６が設置され、前記スライド板チャンバ２６の中には開閉機構が設置され、前記開閉機構は前記伸縮機構の開閉を制御でき、前記円柱体１０の片側端面には充電機構が設置され、前記充電機構は当電動歯ブラシを充電でき、前記充電機構の片側における前記収納チャンバ２３の中には動力機構が設置され、前記動力機構は大型プーリ３８に動力を提供できる。
【００１６】
好ましくは、前記伸縮機構は前記収納チャンバ２３の中にスライド可能に設置された前記伸縮棒２０を含み、前記伸縮棒２０の上下両端面にはいずれもスライドブロック１２が固定的に設置され、前記スライドブロック１２は前記スライドブロックチャンバ１４の中にスライド可能に装着され、前記スライドブロックチャンバ１４の両側端壁の中にはいずれもリール１１が回転可能に設置され、前記リール１１は上下対称に設置され、頂部に位置する二つの前記リール１１は伸縮巻糸１３で伝動可能に連結され、前記伸縮巻糸１３は前記スライドブロック１２と固定的に連結され、前記ラック溝１６の中にはラック１５がスライド可能に装着され、前記ラック１５と前記伸縮巻糸１３とは固定的に連結され、前記セクタ歯車チャンバ１７の中にはセクタ歯車１８が回転可能に設置され、前記セクタ歯車１８と前記ラック１５の頂端とは噛み合えるように設置され、前記セクタ歯車チャンバ１７と、前記ラック溝１６と、前記ラック溝１６における機構とはいずれも上下対称に設置される。  
【００１７】
さらに、前記伸縮棒２０中にはスプライン軸２１が回転可能に設置され、前記スプライン軸２１の片側末端にはスプライン軸傘歯車４９が固定的に設置され、前記伸縮棒２０の片側端面にはブラシヘッド４６を取り付けることができ、前記スプライン軸傘歯車４９は前記ブラシヘッド４６の中に伸びられ、前記ブラシヘッド４６の後側端面にはブラシ盤４７が回転可能に設置され、前記ブラシ盤４７の後端には毛ブラシ５０が固定的に設置され、前記ブラシ盤４７はブラシヘッド傘歯車４８によって前記スプライン軸傘歯車４９と伝動可能に連結され、前記ブラシヘッド４６は取替可能であり、リール１１が回転し、スライドブロック１２の移動を連動させ、それにより、伸縮棒２０は伸縮できる。
【００１８】
好ましくは、前記開閉機構は前記スライド板チャンバ２６の中にスライド可能に装着されたスライド板２４を含み、前記スライド板２４はＴ型であり、前記スライド板２４の片側端面と前記スライド板チャンバ２６の片側端壁との間には引張ばね２５が弾性を持つように連結され、前記スライド板２４の頂部には収納挿しピン５１がスライド可能に装着され、前記収納挿しピン５１は前記スライド板２４の中に挿入でき、且つ前記スライド板２４の位置を制限し、前記スライド板２４を固定させることができ、前記収納挿しピン５１の片側には収納歯車５３が回転可能に設置され、前記収納挿しピン５１の片側には頂部歯車５５が回転可能に設置され、前記頂部歯車５５と前記セクタ歯車１８とがセクタ歯車巻糸１９により伝動できるように連結され、前記頂部歯車５５の底端と前記スライド板２４の頂端とは噛み合えるように設置され、前記円柱体１０の頂端には収納スイッチ５２がスライド可能に設置され、前記収納スイッチ５２と前記収納歯車５３とは収納巻糸５４によって伝動可能に連結され、前記収納スイッチ５２の片側には小型スイッチ２８がスライド可能に設置され、前記小型スイッチ２８の底部には伸び出し歯車２９が回転可能に設置され、前記伸び出し歯車２９と前記小型スイッチ２８とは噛み合えるように設置され、前記スライド板チャンバ２６の底壁の中には底部挿しピン２７がスライド可能に設置され、前記底部挿しピン２７の片側には復位ばね３２が設置され、前記底部挿しピン２７のもう片側には底部歯車３１が回転可能に設置され、前記底部歯車３１と前記底部挿しピン２７とは噛み合えるように設置され、前記底部歯車３１と前記伸び出し歯車２９とは伸び出し巻糸３０によって伝動可能に連結され、前記スライド板２４の底端には挿入孔５６が設置され、前記スライド板２４と前記引張ばね２５とは上下対称に設置され、
小型スイッチ２８を滑らせることで底部歯車３１に底部挿しピン２７を下へ移動連動させ、それにより引張ばね２５にスライド板２４を引張らせ、スライド板２４を片側へ移動連動させ、それにより頂部歯車５５を回転可能にし、頂部歯車５５はセクタ歯車１８を回転連動させ、それによりラック１５を滑らせ、それにより、スライドブロック１２はスライドし、伸縮棒２０を伸縮させる。
【００１９】
好ましくは、前記動力機構と前記充電機構とは前記収納チャンバ２３の中に固定的に装着された支持ブロック４４を含み、前記支持ブロック４４の中にはスプラインスリーブ２２が回転可能に設置され、前記スプラインスリーブ２２の片側の延伸部分は前記スプライン軸２１とスプラインによって連結され、前記スプラインスリーブ２２のもう片側の端面には端面歯車４３が固定的に設置され、前記収納チャンバ２３の中にはセクタ歯車軸４２が回転可能に設置され、前記セクタ歯車軸４２の外壁の外周には動力セクタ歯車４１が固定的に設置され、前記動力セクタ歯車４１は中心対称に設置されることで、前記端面歯車４３に正回転と逆回転とを交替させて繰り返させることができ、前記動力セクタ歯車４１の間における前記セクタ歯車軸４２の外壁の外周には小型プーリ６０が固定的に設置され、前記収納チャンバ２３の底壁の中には動力モータ３９が固定的に嵌め込んでおり、前記動力モータ３９の頂端と前記大型プーリ３８とは伝動可能に連結され、前記大型プーリ３８と前記小型プーリ６０とはベルト４０によって伝動可能に連結され、前記小型プーリ６０は前記大型プーリ３８より半径が短いため、前記小型プーリ６０は高速回転でき、前記円柱体１０の片側端面の中には充電スイッチ３４がスライド可能に設置され、前記充電スイッチ３４の一端には充電スライド板３５が固定的に設置され、前記充電スライド板３５の頂端には付勢ばね３３が弾性を持つように連結され、前記円柱体１０の片側端面には充電口３６が設置され、前記収納チャンバ２３の底壁の中には蓄電池３７が固定的に設置され、前記蓄電池３７と前記動力モータ３９とは通電可能に連結され、
充電スライド板３５の滑りは充電口３６を開け、それにより、充電に便利を与え、動力モータの作動は大型プーリ４３の回転を連動させ、それによりセクタ歯車４２を回転させ、それにより上下対称な動力セクタ歯車４１をそれぞれ端面歯車４３に断続的に噛み合わせ、端面歯車４３に断続的な回転を繰り返させ、それによりスプライン軸２１を回転させ、スプライン軸２１はブラシ盤４７を断続的に回転させる。
【００２０】
下記に、図１〜６及び前述した収納可能の電動歯ブラシを参照し、使用方法を説明し、まず、初期状態では、伸縮棒２０は最大限度に収納チャンバ２３の中に収納されており、底部挿しピン２７は挿入孔５６の中に引っ掛かる。
【００２１】
本装置を利用する時に、まずブラシヘッド４６を伸縮棒２０に取り付け、この時、小型スイッチ２８をスライドし、伸び出し歯車２９に底部歯車３１を回転連動させ、それにより、スライド板２４は制限されなくなり、引張ばね２５はスライド板２４を引き動かし、スライド板２４をスライドさせ、この時、収納挿しピン５１はスライド板２４に引っ掛かり、頂部歯車５５は駆動され、セクタ歯車１８は回転することでラック１５をスライドさせ、この時、スライドブロック１２はスライドし、伸縮棒２０を滑り出させ、この時、動力モータ３９を起動し、大型プーリ３８を回転させ、大型プーリ３８はセクタ歯車軸４２の回転を連動させ、それにより動力セクタ歯車４１を回転させ、動力セクタ歯車４１と端面歯車４３とが係合し、端面歯車４３にスプラインスリーブ２２の回転を連動させ、それによりスプライン軸２１を回転させ、スプライン軸２１はブラシ盤４７の回転を連動させ、それにより、歯磨きは行われ、また、歯磨きを終えた後、収納スイッチ５２を滑らせ、収納挿しピン５１をスライド板２４から離脱させ、手で伸縮棒２０を収納チャンバ２３の中に押し込み、充電する時に、充電スライド板３５を上に移動し、充電口３６を開け、当電動ブラシを充電器に置いて充電を行う。
【００２２】
要約すると、本装置の伸縮機構は伸縮棒を収納チャンバの中に収納でき、歯ブラシの占有空間を減らし、歯ブラシの収納に便利であり、また、動力機構において、大型プーリは小型プーリより直径が長いため、小型プーリに高速回転させることができ、すなわちブラシ盤にも高速回転させることができ、歯磨きの効率を上げ、さらに、本装置は優れた設計を有し、伝動構成が簡単で、故障が発生しにくい。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179136.tif 000003
【図２】
2020179136.tif 000004
【図３】
2020179136.tif 000005
【図４】
2020179136.tif 000006
【図５】
2020179136.tif 000007
【図６】
2020179136.tif 000008
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
正面視で、円柱体を含み、前記円柱体の中には収納チャンバが設置され、前記収納チャンバの上下両側の端壁にはいずれもスライドブロックチャンバが設置され、前記スライドブロックチャンバの中には伸縮機構が設置され、前記伸縮機構は伸縮棒を収納でき、前記スライドブロックチャンバの頂部にはラック溝が設置され、前記ラック溝は上下対称に設置され、前記ラック溝の頂壁にはセクタ歯車チャンバが設置され、前記セクタ歯車チャンバの中の片側にはスライド板チャンバが設置され、前記スライド板チャンバの中には開閉機構が設置され、前記開閉機構は前記伸縮機構に含まれる構成の行う伝動を制限でき、前記円柱体の片側端面には充電機構が設置され、前記充電機構は当電動歯ブラシを充電でき、前記充電機構の片側における前記収納チャンバの中には動力機構が設置され、前記動力機構は大型プーリに動力を提供でき、
前記伸縮機構は前記収納チャンバの中にスライド可能に設置された前記伸縮棒を含み、前記伸縮棒の上下両端面にはいずれもスライドブロックが固定的に設置され、前記スライドブロックは前記スライドブロックチャンバの中にスライド可能に装着され、前記スライドブロックチャンバの両側端壁の中にはいずれもリールが回転可能に設置され、前記リールは上下対称に設置され、頂部に位置する二つの前記リールは伸縮巻糸で伝動可能に連結され、前記伸縮巻糸は前記スライドブロックと固定的に連結され、前記ラック溝の中にはラックがスライド可能に装着され、前記ラックと前記伸縮巻糸とは固定的に連結され、前記セクタ歯車チャンバの中にはセクタ歯車が回転可能に設置され、前記セクタ歯車と前記ラックの頂端とは噛み合えるように設置され、前記セクタ歯車チャンバと、前記ラック溝と、前記ラック溝における機構とはいずれも上下対称に設置され、さらに、前記伸縮棒中にはスプライン軸が回転可能に設置され、前記スプライン軸の片側末端にはスプライン軸傘歯車が固定的に設置され、前記伸縮棒の片側端面にはブラシヘッドを取り付けることができ、前記スプライン軸傘歯車は前記ブラシヘッドの中に伸びられ、前記ブラシヘッドの後側端面にはブラシ盤が回転可能に設置され、前記ブラシ盤の後端には毛ブラシが固定的に設置され、前記ブラシ盤はブラシヘッド傘歯車によって前記スプライン軸傘歯車と伝動可能に連結され、前記ブラシヘッドは取替可能であり、
前記リールが回転することで前記スライドブロックの移動を連動させ、それにより、前記伸縮棒は伸縮でき、
前記開閉機構は前記スライド板チャンバの中にスライド可能に装着されたスライド板を含み、前記スライド板はＴ型であり、前記スライド板の片側端面と前記スライド板チャンバの片側端壁との間には引張ばねが弾性を持つように連結され、前記スライド板の頂部には収納挿しピンがスライド可能に装着され、前記収納挿しピンは前記スライド板の中に挿入でき、且つ前記スライド板の位置を制限し、前記スライド板を固定させることができ、前記収納挿しピンの片側には収納歯車が回転可能に設置され、前記収納挿しピンの片側には頂部歯車が回転可能に設置され、前記頂部歯車と前記セクタ歯車とがセクタ歯車巻糸により伝動できるように連結され、前記頂部歯車の底端と前記スライド板の頂端とは噛み合えるように設置され、前記円柱体の頂端には収納スイッチがスライド可能に設置され、前記収納スイッチと前記収納歯車とは収納巻糸によって伝動可能に連結され、前記収納スイッチの片側には小型スイッチがスライド可能に設置され、前記小型スイッチの底部には伸び出し歯車が回転可能に設置され、前記伸び出し歯車と前記小型スイッチとは噛み合えるように設置され、前記スライド板チャンバの底壁の中には底部挿しピンがスライド可能に設置され、前記底部挿しピンの片側には復位ばねが設置され、前記底部挿しピンのもう片側には底部歯車が回転可能に設置され、前記底部歯車と前記底部挿しピンとは噛み合えるように設置され、前記底部歯車と前記伸び出し歯車とは伸び出し巻糸によって伝動可能に連結され、前記スライド板の底端には挿入孔が設置され、前記スライド板と前記引張ばねとは上下対称に設置され、
前記小型スイッチを滑らせることで前記底部歯車に前記底部挿しピンを下へ移動させ、それにより前記引張ばねに前記スライドを引張らせ、前記スライド板を片側へ移動連動させ、それにより前記頂部歯車を回転可能にし、前記頂部歯車は前記セクタ歯車を回転連動させ、それにより前記ラックを滑らせ、それにより、前記スライドブロックはスライドし、前記伸縮棒を伸縮させ、
前記動力機構と前記充電機構とは前記収納チャンバの中に固定的に装着された支持ブロックを含み、前記支持ブロックの中にはスプラインスリーブが回転可能に設置され、前記スプラインスリーブの片側の延伸部分は前記スプライン軸とスプラインによって連結され、前記スプラインスリーブのもう片側の端面には端面歯車が固定的に設置され、前記収納チャンバの中にはセクタ歯車軸が回転可能に設置され、前記セクタ歯車軸の外壁の外周には動力セクタ歯車が固定的に設置され、前記動力セクタ歯車は中心対称に設置されることで、前記端面歯車に正回転と逆回転とを交替させて繰り返させることができ、前記動力セクタ歯車の間における前記セクタ歯車軸の外壁の外周には小型プーリが固定的に設置され、前記収納チャンバの底壁の中には動力モータが固定的に嵌め込んでおり、前記動力モータの頂端と前記大型プーリとは伝動可能に連結され、前記大型プーリと前記小型プーリとはベルトによって伝動可能に連結され、前記小型プーリは前記大型プーリより半径が短いため、前記小型プーリは高速回転でき、前記円柱体の片側端面の中には充電スイッチがスライド可能に設置され、前記充電スイッチの一端には充電スライド板が固定的に設置され、前記充電スライド板の頂端には付勢ばねが弾性を持つように連結され、前記円柱体の片側端面には充電口が設置され、前記収納チャンバの底壁の中には蓄電池が固定的に設置され、前記充電機構は前記蓄電池と通電可能に接続され、前記蓄電池と前記動力モータとは通電可能に連結され、
前記動力モータが作動することで前記大型プーリを回転させ、それにより前記セクタ歯車を回転させ、それにより上下対称な前記動力セクタ歯車をそれぞれ前記端面歯車に断続的に噛み合わせ、前記端面歯車に断続的な回転を繰り返させ、それにより前記スプライン軸を回転させ、前記スプライン軸は前記ブラシ盤を断続的に回転させることを特徴とする収納可能の電動歯ブラシ。